(57)【要約】【課題】  良好な拡大または縮小処理を実現できる複写機を提供する。【解決手段】  ステップＳ１０４において、原稿および記録紙のサイズが同一であり、記録部により実行される記録処理が等倍処理であると判断される場合、倍率指定部は、原稿から読み取られた画像を同一サイズで記録する等倍率（第３倍率）を、画像の倍率として指定する（Ｓ１０５）。ステップＳ１０６において、自動倍率設定モードが指定されていると判断される場合、倍率指定部は、可逆的に拡大または縮小する可逆倍率（第１倍率）を、記録紙に記録する画像の倍率として指定する（Ｓ１０７）。一方、ステップＳ１０６において、自動倍率設定モードが指定されていないと判断される場合、倍率指定部は、表示部または操作部を介して入力された固定倍率（第２倍率）を、記録紙に記録する画像の倍率として指定する。【選択図】図３
2011123327.tif 000002
【特許請求の範囲】
【請求項１】
(a) 原稿上の画像を読み取る読取部と、
(b) 前記原稿のサイズを検出する原稿サイズ検出部と、
(c) 前記読取部で読み取られた画像を、記録紙に記録する記録部と、
(d) 前記記録部により記録される前記画像の倍率を指定する倍率指定部と、
(e) 使用者からの入力動作を受け付ける入力部と、
を備え、
前記倍率指定部は、
i)  前記原稿のサイズおよび前記記録紙のサイズが定まっている場合には、前記原稿に対する前記画像のサイズ比率を保持しつつ、可逆的に前記画像を拡大または縮小する第１倍率を、
ii) 前記原稿のサイズおよび前記記録紙のサイズの少なくとも一方が定まっていない場合には、前記入力部を介して入力された第２倍率を、
前記記録紙に記録する前記画像の倍率として指定することを特徴とする複写機。
【請求項２】
(a) 原稿上の画像を読み取る読取部と、
(b) 前記読取部で読み取られた画像を、記録紙に記録する記録部と、
(c) 前記記録部により記録される前記画像の倍率を指定する倍率指定部と、
(d) 使用者からの入力動作を受け付ける入力部と、
を備え、
前記原稿のサイズは、前記入力部を介した入力動作により指定され、
前記倍率指定部は、
i)  前記原稿のサイズおよび前記記録紙のサイズが定まっている場合には、前記原稿に対する前記画像のサイズ比率を保持しつつ、可逆的に前記画像を拡大または縮小する第１倍率を、
ii) 前記原稿のサイズおよび前記記録紙のサイズの少なくとも一方が定まっていない場合には、前記入力部を介して入力された第２倍率を、
前記記録紙に記録する前記画像の倍率として指定することを特徴とする複写機。
【請求項３】
請求項１または請求項２に記載の複写機において、
前記倍率指定部は、
iii)  前記原稿のサイズおよび前記記録紙のサイズが同一の場合には、前記画像を同一サイズで記録する第３倍率を、前記記録紙に記録する前記画像の倍率として指定することを特徴とする複写機。
【請求項４】
請求項１から請求項３のいずれかに記載の複写機において、
前記記録紙のサイズは、前記入力部を介した入力動作により指定されることを特徴とする複写機。
【発明の詳細な説明】
【技術分野】
【０００１】
本発明は、複写機に関するもので、特に、拡大または縮小時の倍率指定に関する。
【背景技術】
【０００２】
従来、原稿のサイズに対応した転写紙サイズを選択できる複写装置が知られている（例えば、特許文献１）。また、原稿サイズと、印刷用の用紙サイズと、に基づいて、固定倍率のうちのいずれかを選択するドキュメント処理装置も、従来より知られている（例えば、特許文献２）。
【先行技術文献】
【特許文献】
【０００３】
【特許文献１】特開平１１−００６１８６号公報
【特許文献２】特開２００８−１０４０２４号公報
【発明の概要】
【発明が解決しようとする課題】
【０００４】
ここで、特許文献１および２の装置において、同一画像の拡大および縮小が繰り返し実行されると、場合によっては原稿に対する画像のサイズが変動する。例えば、
（１）Ａ４サイズの原稿上の画像と、
（２）Ａ４サイズの原稿上の画像が、Ａ５サイズの用紙に縮小され、次に、縮小処理によりＡ５サイズの用紙上に記録された画像が、Ａ４サイズの用紙に拡大される場合において、この拡大処理によりＡ４サイズの用紙上に記録された画像と、
について、両画像のサイズは、必ずしも一致する訳ではない。
【０００５】
そこで、本発明では、良好な拡大または縮小処理を実現できる複写機を提供することを目的とする。
【課題を解決するための手段】
【０００６】
上記の課題を解決するため、請求項１の発明は、原稿上の画像を読み取る読取部と、前記原稿のサイズを検出する原稿サイズ検出部と、前記読取部で読み取られた画像を、記録紙に記録する記録部と、前記記録部により記録される前記画像の倍率を指定する倍率指定部と、使用者からの入力動作を受け付ける入力部とを備え、前記記録紙のサイズは、前記入力部を介した入力動作により指定され、前記倍率指定部は、前記原稿のサイズおよび前記記録紙のサイズが定まっている場合には、前記原稿に対する前記画像のサイズ比率を保持しつつ、可逆的に前記画像を拡大または縮小する第１倍率を、前記原稿のサイズおよび前記記録紙のサイズの少なくとも一方が定まっていない場合には、前記入力部を介して入力された第２倍率を、前記記録紙に記録する前記画像の倍率として指定することを特徴とする。
【０００７】
また、請求項２の発明は、原稿上の画像を読み取る読取部と、前記読取部で読み取られた画像を、記録紙に記録する記録部と、前記記録部により記録される前記画像の倍率を指定する倍率指定部と、使用者からの入力動作を受け付ける入力部とを備え、前記原稿および前記記録紙のサイズは、前記入力部を介した入力動作により指定され、前記倍率指定部は、前記原稿のサイズおよび前記記録紙のサイズが定まっている場合には、前記原稿に対する前記画像のサイズ比率を保持しつつ、可逆的に前記画像を拡大または縮小する第１倍率を、前記原稿のサイズおよび前記記録紙のサイズの少なくとも一方が定まっていない場合には、前記入力部を介して入力された第２倍率を、前記記録紙に記録する前記画像の倍率として指定することを特徴とする。
【０００８】
また、請求項３の発明は、請求項１または請求項２に記載の複写機において、前記倍率指定部は、前記原稿のサイズおよび前記記録紙のサイズが同一の場合には、前記画像を同一サイズで記録する第３倍率を、前記記録紙に記録する前記画像の倍率として指定することを特徴とする。
【０００９】
また、請求項４の発明は、請求項１から請求項３のいずれかに記載の複写機において、前記記録紙のサイズは、前記入力部を介した入力動作により指定されることを特徴とする。
【発明の効果】
【００１０】
請求項１から請求項４に記載の発明において、原稿のサイズおよび記録紙のサイズが定まっている場合には、倍率指定部は、原稿に対する画像のサイズ比率を保持しつつ可逆的に画像を拡大または縮小する第１倍率を、記録紙に記録される画像の倍率として指定する。そのため、同一の画像の拡大および縮小が繰り返し実行される場合において、各記録時に原稿のサイズおよび記録紙のサイズが定まっているときには、原稿に対する画像のサイズ比率が略一定に保持され、良好な記録結果が得られる。
【図面の簡単な説明】
【００１１】
【図１】本発明の実施の形態における複写機の全体構成の一例を示す斜視図である。
【図２】本発明の実施の形態における複写機の機能構成の一例を示すブロック図である。
【図３】記録紙に記録される画像の倍率指定手法を説明するためのフローチャートである。
【発明を実施するための形態】
【００１２】
以下、図面を参照しつつ本発明の実施の形態について詳細に説明する。
【００１３】
＜１．複写機の構成＞
図１は、本発明の実施の形態における複写機１の全体構成の一例を示す斜視図である。図２は、複写機１の機能構成の一例を示すブロック図である。ここで、複写機１は、原稿の画像を読み取るとともに、読み取られた画像を記録紙に記録する。図１および図２に示すように、複写機１は、主として、原稿給送部３１と、原稿載置部３２と、読取部４１と、記録部５１と、表示部６１と、操作部６２と、原稿サイズ検出部７１と、倍率指定部７２と、を備えている。
【００１４】
原稿給送部３１は、自動給紙（ＡＤＦ：Automatic Document Feeder）方式により、原稿の表面または裏面で反射された反射光を読取部４１に読み取らせ、原稿の画像を取得させる。図１に示すように、原稿給送部３１は、主として、読取対象となる原稿を載置する原稿台３３と、読取部４１により読取処理が実行された原稿を蓄積する原稿排出台３４と、を有している。
【００１５】
原稿載置部３２は、図１に示すように、原稿給送部３１の下方に配置されており、いわゆるフラットベッド（Flat Bed）方式による画像読取に使用される。例えば、原稿載置部３２に対して原稿給送部３１が開閉されることによって、読取対象となる原稿が、原稿載置部３２に載置される。そして、原稿で反射され、原稿載置部３２を透過した光が、読取部４１に読み取られることによって、原稿の画像が取得される。
【００１６】
読取部４１は、いわゆる画像入力部（スキャナ部）であり、原稿上の画像を読み取る。図１に示すように、読取部４１は、原稿給送部３１および原稿載置部３２の下方に設けられている。読取部４１で読み取られた画像データは、例えばＪＰＥＧ方式に圧縮され、画像メモリ１６に記憶される。
【００１７】
記録部５１は、電子写真方式により、静電潜像に基づいたトナー画像を記録紙に記録する画像形成部である。例えば、記録部５１は、画像メモリ１６に記憶された画像データに基づいて感光体ドラム（図示省略）上にトナー画像を形成するとともに、このトナー画像を記録紙に転写させることによって、原稿から読み取られた画像を記録紙に記録する。
【００１８】
表示部６１は、例えば、液晶ディスプレイにより構成されており、指や専用のペンで画面に触れることによって画面上の位置を指定できる「タッチパネル」としての機能を有している。したがって、複写機１の使用者（以下、単に、「使用者」と称する）は、表示部６１に表示された内容に基づき、表示部６１の「タッチパネル」機能を使用した指示を行うことによって、複写機１に所定の処理（例えば、記録紙に画像を記録させる処理）を実行させることができる。このように、表示部６１は、使用者からの入力動作を受け付ける入力部としても使用される。
【００１９】
操作部６２は、いわゆるキーパッドによって構成された入力部である。使用者は、表示部６１の表示内容に基づいた入力作業を行うことによって、複写機１に対して所定の処理を実行させることができる。例えば、操作部６２の読取開始ボタン６３が押し下げられると、原稿台３３に載置された原稿の画像、或いは原稿載置部３２に載置された原稿の画像が、読み取られる。
【００２０】
原稿サイズ検出部７１は、例えば、原稿給送部３１に設けられた接触式または非接触式のセンサにより構成されている。これにより、原稿サイズ検出部７１は、原稿台３３に載置された原稿のサイズ（用紙サイズ）を検出する。
【００２１】
倍率指定部７２は、読取部４１により原稿から読み取られ、記録部５１により記録紙に記録される画像の倍率を指定する。なお、倍率指定部７２による画像の倍率指定手法については、後述する。
【００２２】
ＲＡＭ（Random Access Memory ）１２および画像メモリ１６は、読み書き自在の揮発性メモリである。ＲＯＭ（Read Only Memory）１３は、読出し専用メモリーである。ＭＰＵ（Micro Processing Unit）１１は、ＲＯＭ１３に格納されたプログラムに従った制御を実行する。また、ＭＰＵ１１、ＲＡＭ１２、ＲＯＭ１３、記録部５１等のそれぞれは、信号線１５を介して電気的に接続されている。したがって、ＭＰＵ１１は、例えば、記録部５１による記録処理、或いは倍率指定部７２による画像の倍率指定処理等を所定のタイミングで実行できる。
【００２３】
なお、ＲＯＭ１３としては、読み出し専用メモリーが使用されるものとして説明したが、これに限定されるものでない。読み書き自在の不揮発性メモリ（例えば、フラッシュメモリ）が、ＲＯＭ１３に代えて使用されてもよい。
【００２４】
＜２．倍率指定手法＞
図３は、記録紙に記録される画像の倍率指定手法を説明するためのフローチャートである。図３に示すように、記録紙に記録される画像の倍率は、以下のステップＳ１０１〜Ｓ１０７に基づいて指定される。なお、本倍率指定手法の開始に先立って、原稿台３３には原稿が載置されている。
【００２５】
まず初めに、操作部６２の読取開始ボタン６３が押し下げられると（Ｓ１０１）、倍率指定部７２は、原稿台３３に載置された原稿のサイズ、および記録部５１で使用される記録紙のサイズが定まっているか否かの確認を実行する（Ｓ１０２）。
【００２６】
ステップＳ１０２において、原稿のサイズおよび記録紙のサイズの少なくとも一方が定まっていないと判断される場合には、倍率指定部７２は、表示部６１または操作部６２を介して入力された固定倍率（第２倍率）を、記録紙に記録する画像の倍率として指定する（Ｓ１０３）。
【００２７】
ここで、固定倍率とは、サイズが定まっている用紙（例えば、Ａ版やＢ版等）の間で拡大または縮小を行うため、予め複写機１に登録されている倍率を言う。本実施の形態において、固定倍率は、可逆倍率と比較して精度の低い値が採用されており、複数の用紙間の拡大または縮小で共通して使用できる。例えば、Ａ４からＡ３に拡大する場合における倍率と、Ｂ５からＢ４に拡大する場合における倍率と、は、同一値（１．４１）である。
【００２８】
また、記録紙のサイズは、表示部６１または操作部６２を介した入力動作により指定されても良い。さらに、記録紙が１種類しか使用されない場合には、記録紙のサイズは、固定値とされても良い。
【００２９】
一方、ステップＳ１０２において、原稿のサイズおよび記録紙のサイズが定まっていると判断される場合には、倍率指定部７２は、（１）拡大または縮小処理、および（２）等倍処理、のいずれが実行されるかを判断する（Ｓ１０４）。
【００３０】
ステップＳ１０４において、原稿および記録紙のサイズが同一であり、記録部５１により実行される記録処理が等倍処理であると判断される場合、倍率指定部７２は、原稿から読み取られた画像を同一サイズで記録する等倍率（１倍：第３倍率）を、画像の倍率として指定する（Ｓ１０５）。
【００３１】
一方、ステップＳ１０４において、記録処理が拡大または縮小処理であると判断される場合、倍率指定部７２は、本倍率指定手法の開始に先立って、予め自動倍率設定モードが指定されているか否かの確認を実行する（Ｓ１０６）。
【００３２】
ステップＳ１０６において、表示部６１または操作部６２を介した入力動作により、または初期設定（デフォルト設定）により、自動倍率設定モードが指定されていると判断される場合、手順はステップＳ１０７に進む。そして、倍率指定部７２は、可逆的に拡大または縮小する可逆倍率（第１倍率）を、記録紙に記録する画像の倍率として指定する（Ｓ１０７）。
【００３３】
ここで、可逆倍率とは、原稿に対する画像のサイズ比率を保持しつつ、可逆的に画像を拡大または縮小することができる倍率をいう。したがって、
（１）Ａ４サイズの原稿上の画像と、
（２）Ａ４サイズの原稿が、可逆倍率でＡ５サイズの用紙に縮小され、次に、縮小処理によりＡ５サイズの用紙上に記録された画像が、可逆倍率でＡ４サイズの用紙に拡大される場合において、この拡大処理によりＡ４サイズの用紙上に記録された画像と、
について、両画像のサイズは一致する。
【００３４】
また、自動倍率設定モードとは、原稿および記録紙のサイズが定まっている場合において、これら原稿および記録紙のサイズに従い、画像の倍率を設定するモードを言う。
【００３５】
一方、ステップＳ１０６において、自動倍率設定モードが指定されていないと判断される場合、手順はステップＳ１０３に進む。そして、倍率指定部７２は、表示部６１または操作部６２を介して入力された固定倍率（第２倍率）を、記録紙に記録する画像の倍率として指定する。
【００３６】
＜３．本実施の形態の複写機の利点＞
以上のように、原稿のサイズおよび記録紙のサイズが定まっている場合には、倍率指定部７２は、原稿に対する画像のサイズ比率を保持しつつ、可逆的に画像を拡大または縮小する可逆倍率（第１倍率）を、記録紙に記録される画像の倍率として指定する。これにより、同一の画像の拡大および縮小が繰り返し実行される場合において、各記録時に原稿のサイズおよび記録紙のサイズが定まっているときには、使用者の操作負担を増加させることなく、原稿に対する画像のサイズ比率を略一定に保持できる。そのため、拡大または縮小処理が繰り返し実行されても、良好な記録結果が得られる。
【００３７】
＜４．変形例＞
以上、本発明の実施の形態について説明してきたが、本発明は上記実施の形態に限定されるものではなく様々な変形が可能である。
【００３８】
（１）本実施の形態において、原稿のサイズは、原稿サイズ検出部７１により検出されるものとして説明したが、原稿サイズの設定手法はこれに限定されるものでない。例えば、原稿サイズは、表示部６１または操作部６２を介した入力動作により指定されてもよい。
【００３９】
（２）また、本実施の形態において、倍率指定部７２は、例えば電子回路によりハードウェア的に実現されるものとして説明したが、これに限定されるものでない。倍率指定部７２による倍率指定処理は、ＲＯＭ１３に格納されたプログラムに基づいて、ＭＰＵ１１によりソフトウェア的に実現されてもよい。
【符号の説明】
【００４０】
１  複写機
４１  読取部
５１  記録部
６１  表示部
６２  操作部
７１  原稿サイズ検出部
７２  倍率指定部
【図１】
2011123327.tif 000003
【図２】
2011123327.tif 000004
【図３】
2011123327.tif 000005